(57)【特許請求の範囲】
【請求項１】
複数のそれぞれの駅に設置された座席指定券を発券する発券機と、複数の発券機を統括するホストコンピュータと、を備えた発券システムにおいて、
第１駅に設置された第１発券機において、第１駅を起点とする第２駅までの第１区間の座席指定券を販売した後に、第２駅を起点とする第３駅までの第２区間の座席指定券分の座席数を前記ホストコンピュータに対して返却する第１発券機と、
前記発券機から返却された座席数をホストコンピュータが管理している発券可能な残席数に加えて管理するとともに、第２駅に設置された第２発券機から所定数の座席数が要求された際には、要求された座席数とホストコンピュータが管理している残席数とを比較して、残席数が要求された座席数より多い場合には、要求された座席数を前記第２発券機に割り当てるとともに、残席数が要求された座席数より少ない場合には、残席数分のすべての座席数を前記第２発券機に割り当てるホストコンピュータと、
を備えたことを特徴とする発券システム。
【請求項２】
複数のそれぞれの駅に設置された座席指定券を発券する発券機と、複数の発券機を統括するホストコンピュータと、を備えた発券システムに適用される座席管理方法であって、
第１駅に設置された第１発券機が、第１駅を起点とする第２駅までの第１区間の座席指定券を販売する工程と、
前記第１発券機が、第２駅を起点とする第３駅までの第２区間の座席指定券分の座席数を前記ホストコンピュータに対して返却する工程と、
前記第１発券機から返却された座席数を前記ホストコンピュータが管理している発券可能な残席数に加えて管理する工程と、
前記ホストコンピュータに対して第２駅に設置された第２発券機から所定数の座席数が要求された際には、要求された座席数と前記ホストコンピュータが管理している残席数とを比較して、残席数が要求された座席数より多い場合には、要求された座席数を前記第２発券機に割り当てるとともに、残席数が要求された座席数より少ない場合には、残席数分のすべての座席数を前記第２発券機に割り当てる工程と、
を備えたことを特徴とする座席管理方法。
【発明の詳細な説明】
【０００１】
【発明の属する技術分野】
この発明は、座席指定券を発券する発券機及び複数の発券機を統括管理するホストコンピュータを備えた発券システムに係り、特にこの発券システムに適用される座席管理方法に関する。
【０００２】
【従来の技術】
従来、会社線の座席指定券を発券する発券システムは、列車が発車する当日分の座席を管理する分散処理用計算機が設置されたミニセンタ、及びこのミニセンタに通信回線を介して接続されて、係員が操作することによって座席指定券を発券する発券機や旅客が直接操作することによって座席指定券を発券する自動発券機などの端末機を備えている。また、このミニセンタには、列車が発車する前日までに発売された前売り分の座席を発売する前売発売システム計算機や、ミニセンタを監視する上位ホスト計算機などが通信回線を介して接続されている。
【０００３】
ミニセンタは、前売発売システム計算機から当日売りの座席指定券の座席データを受信し、始発駅や途中駅に設置されている端末機、すなわち発券機や自動発券機に対して、事前に設定された指定数にしたがって座席データが各列車毎に割り付け処理を実行する。
【０００４】
割り付けられた座席データは、始発駅や途中駅に設置されている端末機に対して発売可能時間となった時点でミニセンタから通信回線を介して各端末機に送信される。
列車が発車した後には、該当駅の端末機から発車した列車の未発売の座席データを取り込み、次駅の座席割り当て処理を行い、次駅の端末機に送信する。
【０００５】
【発明が解決しようとする課題】
このような発券システムでは、ミニセンタが保有している座席データは、ミニセンタからの強制的な配信によって予め設定されていた座席数分だけ各端末機に割り付けられているため、各端末機に割り付ける座席数が固定され、各端末機での座席の発売状況がミニセンタで把握できない状態で配信を行っている。
【０００６】
このため、例えばＡ駅、Ｂ駅の順に停車する列車の座席指定券を例にとると、乗車要求数の多いＢ駅で残席数が０となってしまった場合、Ａ駅では座席が余っているにもかかわらず、残席数のなくなったＢ駅の端末機での発売ができない状態が発生する。また、Ａ駅で列車が発車した後に、Ａ駅の端末機で座席が余った場合に、ミニセンタに余った座席を返却すると、Ｂ駅への座席の配信が再度可能となり、一度発売中止となった後で再度発売可能となってしまうことで利用客を混乱させる虞がある。
【０００７】
さらに、この発券システムでは、ミニセンタから所定数の座席数が各端末機に割り当てられ、発売状況にかかわらず割り当てられる座席数が一定であるため、各端末機に対して効率的な座席データの割り当てができない問題がある。このため、同じ駅に設置されている端末機であるにもかかわらず、発売可能な発券機と発売不可能な発券機とが混在したり、売れ残る座席指定券が増大する虞もある。
【０００８】
そこで、この発明の目的は、各発券機からの要求に応じて発売状況を把握することにより、効率的な座席指定券の発売が可能となる発券システム及びこの発券システムに適用される座席管理方法を提供することにある。
【０００９】
【課題を解決するための手段】
この発明の第１の態様による発券システムは、
複数のそれぞれの駅に設置された座席指定券を発券する発券機と、複数の発券機を統括するホストコンピュータと、を備えた発券システムにおいて、
第１駅に設置された第１発券機において、第１駅を起点とする第２駅までの第１区間の座席指定券を販売した後に、第２駅を起点とする第３駅までの第２区間の座席指定券分の座席数を前記ホストコンピュータに対して返却する第１発券機と、
前記発券機から返却された座席数をホストコンピュータが管理している発券可能な残席数に加えて管理するとともに、第２駅に設置された第２発券機から所定数の座席数が要求された際には、要求された座席数とホストコンピュータが管理している残席数とを比較して、残席数が要求された座席数より多い場合には、要求された座席数を前記第２発券機に割り当てるとともに、残席数が要求された座席数より少ない場合には、残席数分のすべての座席数を前記第２発券機に割り当てるホストコンピュータと、
を備えたことを特徴とする。
【００１０】
この発明の第２の態様による座席管理方法は、
複数のそれぞれの駅に設置された座席指定券を発券する発券機と、複数の発券機を統括するホストコンピュータと、を備えた発券システムに適用される座席管理方法であって、
第１駅に設置された第１発券機が、第１駅を起点とする第２駅までの第１区間の座席指定券を販売する工程と、
前記第１発券機が、第２駅を起点とする第３駅までの第２区間の座席指定券分の座席数を前記ホストコンピュータに対して返却する工程と、
前記第１発券機から返却された座席数を前記ホストコンピュータが管理している発券可能な残席数に加えて管理する工程と、
前記ホストコンピュータに対して第２駅に設置された第２発券機から所定数の座席数が要求された際には、要求された座席数と前記ホストコンピュータが管理している残席数とを比較して、残席数が要求された座席数より多い場合には、要求された座席数を前記第２発券機に割り当てるとともに、残席数が要求された座席数より少ない場合には、残席数分のすべての座席数を前記第２発券機に割り当てる工程と、
を備えたことを特徴とする。
【００２２】
【発明の実施の形態】
以下、図面を参照してこの発明に係る発券システム及びこの発券システムに適用される座席管理方法の実施の形態について詳細に説明する。ここで説明する発券システムは、鉄道会社等で利用される座席指定券を発券する発券機を統括するシステムとして適用されるものである。
【００２３】
図１には、この発明の発券システムの構成を示すブロック図が概略的に示されている。図１に示すように、この発券システムは、システムを統括するホストコンピュータ１０と、座席指定券を発券する端末機としての複数の発券機２０と、ホストコンピュータ１０と各発券機とを接続する通信回線３０と、を備えている。
【００２４】
ホストコンピュータ１０は、ＣＰＵ１２と、鉄道会社が管轄する全利用区間の区間情報、列車の発車・到着時刻や停車駅等の列車情報、各列車の指定席の利用状況を示す座席情報等を記憶するメモリ１４と、ホストコンピュータ１０を通信回線に接続して各発券機との間で情報の送受信を可能とするモデム１６とを備えている。
【００２５】
発券機２０は、係員が操作することによって座席指定券を発券する発券機と、利用客が直接操作することによって座席指定券を発券する自動発券機とを含むものである。このような発券機１０は、図１に示すように各駅毎に少なくとも１台ずつ設置されている。
【００２６】
図２に示すように、発券機２０の接客面には、利用客が投入した現金、すなわち紙幣及び硬貨の投入金額、ＳＦ（ストアードフェア）カードの残額、購入した座席指定券の金額、および釣銭金額など種々の情報を表示する表示部２０２が設けられている。また、この接客面には、投入された現金の投入金額またはＳＦカードの残額に基づき発売路線の区間運賃を点灯表示する複数の可変表示口座釦（数字表示器内蔵型の押し釦など）２０８、及び種々の発券条件を指定する条件釦群２３０などが設けられている。
【００２７】
この条件釦群２３０は、利用者が現金を投入後、複数枚の座席指定券を同時に発券して欲しいときに発券枚数を指定する枚数釦、利用者が大人であるか子供であるかを指定する利用者区分釦、及び禁煙席または喫煙席の区分を指定する座席区分釦などを含んでいる。
【００２８】
発券機２０の接客面には、さらに、ＳＦカード及びクレジットカード等のカード類が投入および排出される投入口２１２と、利用客が硬貨を投入する硬貨投入口２１４と、紙幣を投入する紙幣投入口２１６と、紙幣を排出する紙幣排出口２１８と、座席指定券を発行して排出する券発行口２２０と、釣銭としての硬貨を排出する排出口２２２と、排出口２２２から排出された釣銭を受ける受け皿などが設けられている。
【００２９】
また、図２に示すように、この発券機２０は、全体を制御するＣＰＵ２４２を有している。
このＣＰＵ２４２には、ＣＰＵ２４２の制御プログラム、複数の駅とこれら駅の経路を示す路線情報、座席指定券の販売状況を示す座席データなどが記憶されるメモリ２４４が接続されている。
【００３０】
また、このＣＰＵ２４２には、投入口２１２から投入されたカード類に記録されている情報を読み出すとともに、この投入されたカード類に対して情報を書き込むカード処理部２４６と、紙幣投入口２１６から投入された紙幣の真偽判定および種別判定などの処理を行う紙幣処理部２４８と、硬貨投入口２１４から投入された硬貨の真偽判定および種別判定などを行う硬貨処理部２５０とが接続されている。
【００３１】
ＣＰＵ２４２は、投入されたカード類から読み出された情報に基づいてカード類の残額、及び投入された紙幣及び硬貨を計算して投入金額を表示部２０２に表示させる。また、ＣＰＵ２４２は、この表示部２０２に対して発券機２０の動作状態や、エラーメッセージなどを表示させる。
【００３２】
さらに、このＣＰＵ２４２には、紙幣排出口２１８から釣銭としての紙幣などを排出させるとともに、排出口２２２から排出すべき釣銭を指定する釣銭処理部２５２と、口座釦２０８および条件釦２３０を介して入力された利用区間情報に基づいて、座席指定券を発行し、券発行口２２０から座席指定券を排出する発行部２５４とが接続されている。ＣＰＵ２４２は、投入された現金の金額及びカード類の残額と、座席指定券の発行に必要な金額との差額から釣銭を計算し、釣銭処理部２５２を制御する。そして、発行部２５４を制御して、入力された利用区間情報に対応する座席指定券を発行する。
【００３３】
またさらに、このＣＰＵ２４２には、発券機２０を通信回線に接続してホストコンピュータ１０との間で情報の送受信を可能とするモデム２６０が接続されている。
【００３４】
発券機２０のＣＰＵ２４２は、必要に応じて、モデム２６０を介してホストコンピュータ１０にアクセスし、この発券機における座席指定券の販売状況をホストコンピュータ１０に送信するとともに、ホストコンピュータ１０が保有している座席指定券の残席数に対応した座席情報から必要な座席数を割り付けてもらうために、ホストコンピュータ１０に対して必要な座席数を要求する。この要求に基づいて、ホストコンピュータ１０では、保有している残席数と要求された座席数とを比較して、残席数が大きければ要求された座席数を要求があった発券機に対して割り当てる。そして、発券機２０では、係員または利用客による操作によって座席指定券を発券する。
【００３５】
図３は、上述したような座席管理方法の操作の流れを示すフローチャートである。すなわち、発券機、例えば、図１に示したＡ駅に配置された発券機１における座席管理方法について説明する。なお、ここでは、Ａ駅を列車の始発駅とし、その後、Ｂ駅、Ｃ駅、Ｄ駅…の順に列車が停車するものとする。
【００３６】
まず、発券機では、ステップ１１（ＳＴ１１）において、始発列車用の座席指定券の発券開始時間にあわせて装置が立ち上げられる。この時、発券機は、ホストコンピュータに対して所定数の座席数を要求する。
【００３７】
ホストコンピュータでは、ステップ２１（ＳＴ２１）において、発券機からの座席要求を受信すると、ステップ２４（ＳＴ２４）において、ホストコンピュータが保持している保持座席数と発券機から要求された座席数の要求数とを比較する。すなわち、保持座席数が要求数より大きい場合には、ステップ２６（ＳＴ２６）において、要求数分の座席数に対応する座席データを要求があった発券機に送信する。また、保持座席数が要求数より小さい場合には、ステップ２５（ＳＴ２５）において、ホストコンピュータが保持してる保持座席数に対応する座席データをすべて要求があった発券機に送信する。
【００３８】
発券機では、ＳＴ１１において、ホストコンピュータのＳＴ２５またはＳＴ２６で送信された座席データを受け取り、メモリに記憶する。
つまり、このステップ１１においては、例えばホストコンピュータで管理している座席の残りが１００席であり、Ａ駅に設置された発券機１の初期要求座席数が３０席である場合には、発券機からホストコンピュータに対して３０席の要求がある。ホストコンピュータでは、３０席の要求に対して１００席の中から３０席を要求があった発券機に送信する。そして、ホストコンピュータで管理している座席の残席数は７０席となる。図３では、Ａ駅の発券機１の時の状態しか図示されていないが、他の駅にも同じように要求してくる発券機が複数台存在する。これらの発券機は、それぞれ初期要求座席数が設定されている。これらの発券機からの要求に対して、ホストコンピュータはシーケンシャルに処理することが可能であり、座席数の確保は早い者勝ちとなっている。
【００３９】
続いて、発券機では、ステップ１２（ＳＴ１２）において、駅係員または利用客によって成される操作に基づいて発券処理を実行する。この発券処理については、後に詳述する。
【００４０】
続いて、発券機では、ステップ１３（ＳＴ１３）において、発券機が保持している座席数の残席数が不足しているか否かを判断する。すなわち、発券機は、保持している残席数が所定の最小保持数に達したか否かを判断する。
【００４１】
そして、発券機の残席数が最小保持数より小さくなってしまった場合、つまり、残席数が不足している場合には、発券機は、ステップ１４（ＳＴ１４）において、ホストコンピュータに対して所定数の座席数を追加要求する。
【００４２】
ホストコンピュータでは、ステップ２１（ＳＴ２１）において、発券機からの座席の追加要求を受信すると、ステップ２４（ＳＴ２４）において、ホストコンピュータが保持している保持座席数と発券機から要求された座席数の要求数とを比較する。すなわち、保持座席数が要求数より大きい場合には、ステップ２６（ＳＴ２６）において、要求数分の座席数に対応する座席データを要求があった発券機に送信する。また、保持座席数が要求数より小さい場合には、ステップ２５（ＳＴ２５）において、ホストコンピュータが保持してる保持座席数に対応する座席データをすべて要求があった発券機に送信する。
【００４３】
発券機では、ＳＴ１４において、ホストコンピュータのＳＴ２５またはＳＴ２６で送信された座席データを受け取り、メモリに記憶する。
つまり、このステップ１４では、発券機がそれぞれ保持している要求座席数に対し、発売可能な残席数の最低数を保持していることとなる。したがって、発売できる座席数が０になる前にホストコンピュータに対して座席数を追加要求することができるため、発売をいったん中止することなく座席指定券の発売を続けることが可能となる。また、逐一所定数の座席数を確保することで、安定に発売を継続することができる。
【００４４】
また、このＳＴ１４では、発券機は、現在発売中の列車における発売不可能区間の座席に対応する座席データをホストコンピュータに返却する。すなわち、Ａ駅に設置された発券機において、ある座席のＡＢ区間の座席指定券が販売されたとすると、Ｂ駅以降のこの座席における座席指定券は、Ａ駅では販売できないので、ホストコンピュータに返却する。
【００４５】
ホストコンピュータでは、ＳＴ２１において、座席の返却データを受信すると、ステップ２２（ＳＴ２２）において、返却座席が有ると判断し、ステップ２３（ＳＴ２３）において、その区間分の返却座席分の座席データを空席に変更する処理を実行する。そして、返却された座席数に対応する座席データに基づいて、ホストコンピュータが保持していた保持座席数に返却された座席数を加算する処理を実行する。
【００４６】
つまり、このステップ１４では、発券機での座席発売は、区間別であるため、発駅が自駅でない座席は、該当発券機では発売不可能となる。この発売不可能となった座席をホストコンピュータに返却することでホストコンピュータで管理する座席数を増加することができる。このため、自駅発以外の区間の座席指定券を売れ残すことなく有効に活用することが可能となる。
【００４７】
続いて、発券機では、ステップ１５（ＳＴ１５）において、現在、座席指定券を発売中の列車が発車したか否かを列車の発車時刻に基づいて判断する。発券機は、列車の発車時刻以前には、ＳＴ１２からＳＴ１５までの処理を繰り返し実行する。
【００４８】
列車の発車時刻が過ぎると、発券機は、ステップ１６（ＳＴ１６）において、その列車の座席指定券の残り分に相当する座席データをホストコンピュータに返却する。
【００４９】
ホストコンピュータでは、ＳＴ２１において、座席の返却データを受信すると、ステップ２２（ＳＴ２２）において、返却座席が有ると判断し、ステップ２３（ＳＴ２３）において、返却座席分の座席データを空席に変更する処理を実行する。そして、返却された座席数に対応する座席データに基づいて、ホストコンピュータが保持していた保持座席数に返却された座席数を加算する処理を実行する。
【００５０】
また、発券機は、ステップ１６において、次に発車予定の列車の座席の割り付けを要求するために、ホストコンピュータに対して所定数の座席数を要求する。
ホストコンピュータでは、ステップ２１（ＳＴ２１）において、発券機からの座席の追加要求を受信すると、ステップ２４（ＳＴ２４）において、ホストコンピュータが保持している保持座席数と発券機から要求された座席数の要求数とを比較する。すなわち、保持座席数が要求数より大きい場合には、ステップ２６（ＳＴ２６）において、要求数分の座席数に対応する座席データを要求があった発券機に送信する。また、保持座席数が要求数より小さい場合には、ステップ２５（ＳＴ２５）において、ホストコンピュータが保持してる保持座席数に対応する座席データをすべて要求があった発券機に送信する。
【００５１】
発券機では、ＳＴ１６おいて、ホストコンピュータのＳＴ２５またはＳＴ２６で送信された座席データを受け取り、メモリに記憶する。
つまり、ステップ１６では、発券機が駅毎に設置されているため、該当の列車が自駅を発車すると、その列車の座席を発売しても乗車できないため、該当列車の発車に合わせて売れ残った座席をすべてホストコンピュータに返却するものである。したがって、次駅以降の発券機において売れ残った座席を発売することが可能となり、座席の効率的な割り付けが可能となる。また、この時、次発の列車がある場合には、発券機から次の列車の座席を初期要求座席数分の座席を要求することにより、列車発車後に速やかに次の列車の座席が発売可能となる。
【００５２】
そして、発券機は、再びステップ１２に戻って処理が実行される。
ところで、Ｂ駅や、Ｃ駅などの途中駅に設置された発券機では、ホストコンピュータに対して座席の割り当てを要求した際に、ホストコンピュータは、保持している保持座席数のうち、要求があった発券機が設置された駅を起点とする区間の座席指定券を優先的に割り当てるように制御する。すなわち、ホストコンピュータには、種々の区間の座席指定券のデータを保持しているが、列車が停車する途中駅、例えばＢ駅の発券機からの座席要求があった場合には、ホストコンピュータによりＢ駅を起点とする区間の座席指定券が優先的に要求のあったＢ駅の発券機に割り当てる。このような制御をすることにより、無駄のない効率的な指定座席の割り付けが可能となる。
【００５３】
また、発券機からホストコンピュータに対して所定の座席数を要求した際に、要求数がホストコンピュータの保持座席数より大きかったために、保持座席のすべてを発券機に送信した場合、すなわち保持座席数が０となった場合、所定時間経過後に後に、ホストコンピュータは、再び発券機から座席の要求を受け付けることが可能である。つまり、一時的にホストコンピュータの保持座席数が０となった後であっても、前の駅の発券機から発売不可能区間の座席として返却があったり、前の駅を列車が発車した後における座席の返却がある可能性があるので、所定時間経過後にさらに発券機から座席の要求があった場合には、その要求を受け付け、ホストコンピュータの保持座席数を再度確認し、保持座席数が有る場合には、ステップ２４からステップ２６の処理を実行することにより、さらに効率的な指定座席の割り付けが可能となる。
【００５４】
次に、この発券機が実行する座席指定券の発券処理について説明する。
図４には、この発券機における発券処理の工程がフローチャートによって示されている。
【００５５】
まず、発券機の表示部２０２に、発売中の列車の情報、すなわち発車時刻や列車番号などを表示する表示処理を実行する。
続いて、貨幣・カード類の投入があったか否かが判断される。すなわち、カード投入口２１２からカードが投入された場合には、投入されたカードの残額を読み取り、紙幣投入口２１６及び硬貨投入口２１４から貨幣が投入された場合には、投入された金額の合計を算出する。
【００５６】
続いて、条件釦群を点灯させる。この条件釦群には、上述したように、枚数釦、利用者区分釦、座席区分釦等が含まれ、これらの釦を点灯させる。そして、利用客または駅係員によりこれらの条件釦が選択操作される。例えば枚数釦を例とすると、まず、枚数釦を点灯させ、利用客または駅係員により枚数釦選択処理が実行される。そして、枚数釦が押下される。
【００５７】
続いて、投入された金額と選択された条件釦との条件に基づいて、発売可能な区間に対応する行先釦を点灯させる。そして、利用客または駅係員により行先釦の選択処理が実行される。そして、有効な行先釦が押下されると、該当する座席の検索処理が実行される。すなわち、発券機内部のメモリに記憶されている座席データから設定条件に該当する座席が検索される。
【００５８】
続いて、利用客または駅係員によって選択された条件の座席指定券を発行する発行処理を実行する。
続いて、貨幣が投入されていた場合には、釣り銭を算出して釣り銭を返却し、カードが投入されていた場合には、カードに対して残額データを書き込んで返却する。
【００５９】
以上のような工程により、座席指定券が発券機によって発券される。
上述したように、図５に示したような環境においては、まず、発売開始時に、発券機１、２、…がそれぞれｘ１席、ｘ２席、…をホストコンピュータに要求する。この時にホストコンピュータに対して要求する座席数は、設置場所や利用状況に応じて予め個々に設定されているものである。
【００６０】
ホストコンピュータでは、１列車の総座席数Ｘ席を予め保持しており、各発券機に要求のあった座席数を割り当てた後に、Ｙ席が残るとする。
この時、発券機１において、ホストコンピュータから割り当てられて保持していた座席数が最小保持数ａ１席より小さくなった時に、再度ホストコンピュータに対して追加要求数としてｂ１席を要求することによりホストコンピュータに残席がなくなるまで座席指定券の発売を続けることが可能となる。この時、他の発券機Ａ２、Ａ３…では、最小保持数ａ２、ａ３…以下にならない限り、ホストコンピュータに対して座席の追加要求をしないことで効率のよい座席の発売が可能となる。なお、発券機で保持している要求座席数と最小保持数を変更することで乗車人数が少ない駅や多い駅の発券機が保持する座席数を調整し、発券機毎の発売状況に合った座席管理を行うことが可能となる。
【００６１】
このように、従来のシステムでは、ホストコンピュータから各発券機への強制的な配信によって座席数が割り付けられていたが、この発明の発券システム及び座席管理方法によれば、発券機側から必要な座席数を必要に応じたタイミングでホストコンピュータに要求し、この要求に基づいてホストコンピュータが発券機に対して座席数を割り付けるため、ホストコンピュータは、発券機の発売状態を把握しながら、座席数を割り付けることが可能となるため、無駄の少ない効率的な座席の管理及び割り付けが可能となる。
【００６２】
【発明の効果】
以上説明したように、この発明によれば、各発券機からの要求に応じて発売状況を把握することにより、効率的な座席指定券の発売が可能となる発券システム及びこの発券システムに適用される座席管理方法を提供することができる。
【図面の簡単な説明】
【図１】図１は、この発明に係る発券システムの構成を概略的に示すブロック図である。
【図２】図２は、図１に示した発券機の構成を概略的に示すブロック図である。
【図３】図３は、この発明の座席管理方法の処理工程を概略的に示すフローチャートである。
【図４】図４は、図３に示した発券処理の工程を概略的に示すフローチャートである。
【図５】図５は、この発明の発券システムの一例を概略的に示すブロック図である。
【符号の説明】
１０…ホストコンピュータ
１２…ＣＰＵ
１４…メモリ
１６…モデム
２０…発券機
３０…通信回線
２０２…表示部
２０８…口座釦
２３０…条件釦群
２４２…ＣＰＵ
２４４…メモリ
２５４…発行部
２６０…モデム
【図１】
0003825519.tif 000002
【図２】
0003825519.tif 000003
【図３】
0003825519.tif 000004
【図４】
0003825519.tif 000005
【図５】
0003825519.tif 000006